(57)【特許請求の範囲】
【請求項１】
内部に空間部を有する貯蔵室と、
前記貯蔵室に位置し、内部に空間部を有し、前記空間部上に熱媒体を供給する熱媒体供給手段が備えられ、外気の供給を受ける空気流入手段が備えられ、供給された空気を介して熱媒体を冷却して貯蔵する冷却室と、
前記冷却室に貯蔵された冷却された熱媒体の熱と熱交換して低温に冷却された空気を使用先に供給する冷風供給手段とを含み、
前記冷却室の空間部上の上部には、冷却室の内部において高温の空気を集めて外部に排出する空気捕集室が備えられ、前記空気捕集室には、空気の圧力に応じて設定された圧力を基準に開閉して外部に排出する排出バルブが備えられることを特徴とする、季節間冷気貯蔵を用いた冷房システム。
【請求項２】
前記貯蔵室は、多層建物の地階からなることを特徴とする、請求項１に記載の季節間冷気貯蔵を用いた冷房システム。
【請求項３】
前記使用先は、多層建物の地階を含む地上層からなることを特徴とする、請求項１に記載の季節間冷気貯蔵を用いた冷房システム。
【請求項４】
前記熱媒体は、水からなることを特徴とする、請求項１に記載の季節間冷気貯蔵を用いた冷房システム。
【請求項５】
前記空気流入手段は、前記貯蔵室に備えられ、外気を冷却室に送風するように送風機からなることを特徴とする、請求項１に記載の季節間冷気貯蔵を用いた冷房システム。
【請求項６】
前記熱媒体供給手段は、外部から水を供給する供給管と、前記供給管に備えられ、熱媒体の供給を開閉する第１バルブと、前記冷却室に備えられ、供給管と連結されて熱媒体の供給を受け、複数に分岐した分岐管と、前記分岐管に備えられ、分岐管に流入された熱媒体を冷却室へ噴射する噴射ノズルとからなることを特徴とする、請求項１に記載の季節間冷気貯蔵を用いた冷房システム。
【請求項７】
前記分岐管は、前記供給管を中心に複数が放射状に延長形成されたものからなることを特徴とする、請求項６に記載の季節間冷気貯蔵を用いた冷房システム。
【請求項８】
前記冷却室には、前記熱媒体が冷却し貯蔵される貯蔵槽が備えられることを特徴とする、請求項１に記載の季節間冷気貯蔵を用いた冷房システム。
【請求項９】
前記貯蔵槽の内壁は、弾性を有する断熱材からなり、伸縮性を有することを特徴とする、請求項８に記載の季節間冷気貯蔵を用いた冷房システム。
【請求項１０】
前記貯蔵槽の下部には、冷却空気が流通する空気室が備えられることを特徴とする、請求項８に記載の季節間冷気貯蔵を用いた冷房システム。
【請求項１１】
前記空気室の下部には、冷却された熱媒体が液化した液相の熱媒体が収容される収容室が備えられることを特徴とする、請求項１０に記載の季節間冷気貯蔵を用いた冷房システム。
【請求項１２】
前記貯蔵槽の底面には、複数の通孔が形成されることを特徴とする、請求項８に記載の季節間冷気貯蔵を用いた冷房システム。
【請求項１３】
前記空気室は、前記貯蔵槽および前記収容室と連通して、空気および液相の熱媒体が流動することを特徴とする、請求項１１に記載の季節間冷気貯蔵を用いた冷房システム。
【請求項１４】
前記空気室には、前記使用先に空気を供給する送風管が備えられ、前記送風管には、空気の供給を調節するように開閉する第２バルブが備えられることを特徴とする、請求項１１に記載の季節間冷気貯蔵を用いた冷房システム。
【請求項１５】
前記収容室には、外部から空気の流入を受け、収容室に収容された液相の熱媒体と熱交換して低温に冷却させ、前記送風管と接続して低温に冷却された空気を供給する投入管が備えられることを特徴とする、請求項１４に記載の季節間冷気貯蔵を用いた冷房システム。
【請求項１６】
前記投入管には、空気の供給を開閉する第３バルブが備えられ、空気を強制的に送風するようにする空気ポンプが備えられることを特徴とする、請求項１５に記載の季節間冷気貯蔵を用いた冷房システム。
【請求項１７】
前記冷却室には、貯蔵室の空気を冷却室の空間部に供給し、複数の排出孔を有する流入管が備えられ、前記流入管には、空気の供給を調節するように開閉する第４バルブが備えられることを特徴とする、請求項１に記載の季節間冷気貯蔵を用いた冷房システム。
【請求項１８】
前記冷却室には、使用先で収集された低温の使われた空気を供給する回収管が備えられ、前記回収管には、空気の供給を調節するように開閉する第５バルブが備えられることを特徴とする、請求項１に記載の季節間冷気貯蔵を用いた冷房システム。
【請求項１９】
前記冷却室は、製氷機の排出口と連結され、製氷機によって製造された氷の供給を受けることを特徴とする、請求項１に記載の季節間冷気貯蔵を用いた冷房システム。
【請求項２０】
前記製氷機は、使用先の建物に備えられた太陽電池を介して電力の供給を受けることを特徴とする、請求項１９に記載の季節間冷気貯蔵を用いた冷房システム。
【請求項２１】
前記製氷機は、使用先の建物に備えられた風力発電機を介して電力の供給を受けることを特徴とする、請求項１９に記載の季節間冷気貯蔵を用いた冷房システム。
【請求項２２】
外気の流入を介した熱媒体の冷却において、一定厚さに水を順次冷却した後、その上に一定厚さに水を積層して冷却する過程を繰り返し、氷を段々に多段に効果的に積層するように冷却／貯蔵することを特徴とする、請求項１に記載の季節間冷気貯蔵を用いた冷房システム。
【発明の詳細な説明】
【技術分野】
【０００１】
本発明は、室内の温度を下げて生活温度を調節する冷房に関し、より詳しくは、冬期に外部の冷気を利用して熱媒体（水）を冷却して保管した後、必要な時（夏期）に熱媒体の温度と熱交換した冷風を必要なところに供給して室内を冷房するようにすることにより、エネルギー消耗を顕著に減らして経済的な利益と温室ガスの排出を減らす、環境に優しい冷房を実現することができる冷房システムに関する。
【背景技術】
【０００２】
一般的に夏期の蒸暑い時には、室内の温度上昇による人体の物理的体温を調節して快適な生活をすることができるように、室内の温度を人工的に下げる冷房をする。
【０００３】
すなわち、人体は外部温度が３１℃以上になると、発汗による物理的な体温調節領域に到達し、３５℃以上になると、体温の上昇で各種疾病にぜい弱であるため、健康および生活を持続し難いという問題点をもたらす。
したがって、人体の健康と快適な生活のために高温の室内を冷風を供給して冷却することによって健康と快適な生活を図る。
【０００４】
このような冷房は、主に電源の供給を受けて熱媒体を冷却し、前記冷却された熱媒体と空気を熱交換して空気を低温に下げた後、低温に下げた空気を室内に供給して冷却する冷却装置（エアコン）が使用される。
【発明の概要】
【発明が解決しようとする課題】
【０００５】
しかし、前記のような従来の冷却装置は、別途のエネルギー（電気エネルギー）を過多に消耗するため、冷房が急激に飽和する夏期には電力消耗の過多による国家電力需給の危機を招き、エネルギー使用の効率が低下し、電力生産による温室ガスの排出が増加して、地球温暖化のような環境的な問題をもたらしたりもする。
【０００６】
また、冷却装置の駆動に応じたエネルギー使用の費用増大により、使用者の経済的な問題を招いたりもする。
【０００７】
本発明は、前記のような従来の問題点を解決するために提案されたものであり、本発明の目的は、冬期に自然的に形成される外部の冷気を利用して熱媒体（水）を冷却して保管した後、冷気が必要な時に既に貯蔵された熱媒体の温度と熱交換した冷風を必要なところに供給して室内を冷房するようにすることにより、エネルギー消耗を顕著に減らして経済的な利益と温室ガスの排出を減らす、環境に優しい冷房を実現することができる季節間の冷気貯蔵概念をベースにした冷房システムを提供することにある。
【課題を解決するための手段】
【０００８】
前記のような本発明の目的を達成するための本発明の冷房システムは、内部に空間部を有する貯蔵室と、前記貯蔵室に位置し、内部に空間部を有し、前記空間部上に熱媒体を供給する熱媒体供給手段が備えられ、外気の供給を受ける空気流入手段が備えられ、供給された空気を介して熱媒体を冷却して貯蔵する冷却室と、前記冷却室に貯蔵された冷却された熱媒体の熱と熱交換して低温に冷却された空気を使用先に供給する冷風供給手段とを含んでなることを特徴とする。
【０００９】
前記貯蔵室は、多層建物の地階からなることを特徴とする。
【００１０】
前記使用先は、多層建物の地階を含む地上層からなることを特徴とする。
【００１１】
前記熱媒体は、水からなることを特徴とする。
【００１２】
前記空気流入手段は、前記貯蔵室に備えられ、外気を冷却室に送風するように送風機からなることを特徴とする。
【００１３】
前記熱媒体供給手段は、外部から水を供給する供給管と、前記供給管に備えられ、熱媒体の供給を開閉する第１バルブと、前記冷却室に備えられ、供給管と連結されて熱媒体の供給を受け、複数に分岐した分岐管と、前記分岐管に備えられ、分岐管に流入された熱媒体を冷却室へ噴射する噴射ノズルとからなることを特徴とする。
【００１４】
前記分岐管は、前記供給管を中心に複数が放射状に延長形成されたものからなることを特徴とする。
【００１５】
前記冷却室には、前記熱媒体が冷却し貯蔵される貯蔵槽が備えられることを特徴とする。
【００１６】
前記冷却室の空間部上の上部には、冷却室の内部において高温の空気を集めて外部に排出する空気捕集室が備えられ、前記空気捕集室には、空気の圧力に応じて設定された圧力を基準に開閉して外部に排出する排出バルブが備えられることを特徴とする。
【００１７】
前記貯蔵槽の内壁は、弾性を有する断熱材からなり、伸縮性を有することを特徴とする。
【００１８】
前記貯蔵槽の下部には、冷却空気が流通する空気室が備えられることを特徴とする。
【００１９】
前記空気室の下部には、冷却された熱媒体が液化した液相の熱媒体が収容される収容室が備えられることを特徴とする。
【００２０】
前記貯蔵槽の底面には、複数の通孔が形成されることを特徴とする。
【００２１】
前記空気室は、前記貯蔵槽および収容室と連通して、空気および液相の熱媒体が流動することを特徴とする。
【００２２】
前記空気室には、前記使用先に空気を供給する送風管が備えられ、前記送風管には、空気の供給を調節するように開閉する第２バルブが備えられることを特徴とする。
【００２３】
前記収容室には、外部から空気の流入を受け、収容室に収容された液相の熱媒体と熱交換して低温に冷却させ、前記送風管と接続して低温に冷却された空気を供給する投入管が備えられることを特徴とする。
【００２４】
前記投入管には、空気の供給を開閉する第３バルブが備えられ、空気を強制的に送風するようにする空気ポンプが備えられることを特徴とする。
【００２５】
前記冷却室には、貯蔵室の空気を冷却室の空間部に供給し、複数の排出孔を有する流入管が備えられ、前記流入管には、空気の供給を調節するように開閉する第４バルブが備えられることを特徴とする。
【００２６】
前記冷却室には、使用先で収集された低温の使われた空気を供給する回収管が備えられ、前記回収管には、空気の供給を調節するように開閉する第５バルブが備えられることを特徴とする。
【００２７】
前記冷却室は、製氷機の排出口と連結され、製氷機によって製造された氷の供給を受けることを特徴とする。
【００２８】
前記製氷機は、使用先の建物に備えられた太陽電池を介して電力の供給を受けることを特徴とする。
【００２９】
前記製氷機は、使用先の建物に備えられた風力発電機を介して電力の供給を受けることを特徴とする。
【発明の効果】
【００３０】
上記のように形成された本発明の冷房システムは、冬期に自然的に形成される外部の冷気を利用して熱媒体（水）を冷却して冷却室の貯蔵槽に保管した後、夏期に必要な時に冷却室の貯蔵槽に貯蔵された冷却された熱媒体を溶かして冷風を生成した後、前記冷風を冷風供給手段を利用して使用先に供給して使用先の空気を冷房することにより、別途のエネルギーを消耗することなく冷房することによって、経済的な利益と温室ガスの発生要因を減らして温室ガスの排出を低減し、環境に優しい冷房を実現するという効果を有する。
【図面の簡単な説明】
【００３１】
【図１】本発明による一実施形態による冷房システムを示す概略的な断面例示図である。
【図２】本実施形態による冷房システムにおいて熱媒体を冷却させる作用を示す概略的な断面例示図である。
【図３】本実施形態による冷房システムにおいて熱媒体を介して冷風を発生させて使用先に供給する作用を示す概略的な断面例示図である。
【図４】本実施形態による冷房システムにおいて熱媒体を冷却させる作用を順次示す一部抜粋概略例示図である。
【図５】本実施形態による冷房システムにおいて熱媒体を冷却させる作用を順次示す一部抜粋概略例示図である。
【図６】本実施形態による冷房システムにおいて熱媒体を冷却させる作用を順次示す一部抜粋概略例示図である。
【図７】本実施形態による冷房システムにおいて熱媒体を冷却させる作用を順次示す一部抜粋概略例示図である。
【図８】本実施形態による冷房システムにおいて熱媒体を冷却させる作用を順次示す一部抜粋概略例示図である。
【図９】本実施形態による冷房システムにおいて熱媒体を介して冷風を発生させて供給する作用を順次示す一部抜粋概略例示図である。
【図１０】本実施形態による冷房システムにおいて熱媒体を介して冷風を発生させて供給する作用を順次示す一部抜粋概略例示図である。
【図１１】本実施形態による冷房システムにおいて熱媒体を介して冷風を発生させて供給する作用を順次示す一部抜粋概略例示図である。
【図１２】本実施形態による冷房システムにおいて熱媒体を介して冷風を発生させて供給する作用を順次示す一部抜粋概略例示図である。
【図１３】本実施形態による冷房システムにおいて熱媒体を介して冷風を発生させて供給する作用を順次示す一部抜粋概略例示図である。
【図１４】本実施形態による冷房システムにおいて熱媒体を介して冷風を発生させて供給する作用を順次示す一部抜粋概略例示図である。
【図１５】本実施形態による冷房システムにおいて熱媒体を介して冷風を発生させて供給する作用を順次示す一部抜粋概略例示図である。
【図１６】本実施形態による冷房システムにおいて失われる冷却された熱媒体を補充することを示す一部抜粋概略例示図である。
【図１７】本実施形態による冷房システムにおいて失われる冷却された熱媒体を補充することを示す一部抜粋概略例示図である。
【発明を実施するための形態】
【００３２】
以下、添付図面を参照して、本発明による好ましい実施形態による冷房システムを詳細に説明すれば次の通りである。
【００３３】
尚、本発明で用いられる用語は可能な限り現在広く用いられている一般的な用語を選択したが、特定の場合は出願人が任意に選定した用語もあり、この場合は、該当する発明の説明部分に詳細にその意味を記載したため、単純な用語の名称ではなく用語が有する意味として本発明を把握しなければならないということを明らかにしておく。また、実施形態を説明するにおいて、本発明が属する技術分野で十分に知られており、本発明と直接関連のない技術内容については、説明を省略する。これは、不要な説明を省略することによって本発明の要旨を濁さずにより明らかに伝えるためのものである。
【００３４】
図１〜図１７は、本発明による一実施形態による冷房システムを示す図面であり、本実施形態による冷房システムは、内部に空間部を有する貯蔵室１と、前記貯蔵室１に位置し、内部に空間部を有し、前記空間部上に熱媒体を供給する熱媒体供給手段が備えられ、外気の供給を受ける空気流入手段が備えられ、供給された空気を介して熱媒体を冷却して貯蔵する冷却室２と、前記冷却室２に貯蔵された冷却された熱媒体の熱と熱交換して低温に冷却された空気を使用先３に供給する冷風供給手段とを含んでなる。
【００３５】
すなわち、冬期に熱媒体を熱媒体供給手段を介して供給を受け、空気流入手段を介して外部の冷気の流入を受けて熱媒体を冷却し、冷却室２に冷却して貯蔵した後、夏期に必要に応じて選択して、冷却室２に貯蔵された冷却された熱媒体と熱交換して低温に冷却された冷風を冷風供給手段を介して使用先３に供給して冷房する。
【００３６】
したがって、冷気生産のために別途のエネルギーを消耗しなくても冷房することにより、経済的な利益と温室ガスの発生要因を減らして温室ガスの排出を低減し、環境に優しい冷房を実現することができる。
【００３７】
このような本実施形態による冷房システムにおいて、前記貯蔵室１は多層建物の地階からなり、前記使用先３は多層建物の地階を含む地上層からなることが好ましい。
すなわち、多層建物の地下を利用して環境に優しい冷房システムを実現することが最も好ましい。
【００３８】
上記において、前記熱媒体は冷気貯蔵密度が比較的に高い氷（水の固体状態）を利用するために水からなることが最も好ましいが、これに限定されるものではない。
【００３９】
また、本実施形態による冷房システムにおいて、前記空気流入手段は、前記貯蔵室１に備えられ、外気を冷却室２に送風するように送風機４からなる。
すなわち、前記送風機４を利用して、冬期に建物の外部から冷却室２に水を冷却させるほどの冷気を供給し、熱媒体を冷却して氷状態に貯蔵する。
勿論、熱媒体の冷却作業が完了した後には、外気が冷却室２に流入されないように閉鎖して、冷却室２に貯蔵された氷が無断に液化することを防止する。
【００４０】
また、本実施形態による冷房システムにおいて、前記熱媒体供給手段は、外部から水を供給する供給管５と、前記供給管５に備えられ、熱媒体の供給を開閉する第１バルブ６と、前記冷却室２に備えられ、供給管５と連結されて熱媒体を供給を受け、複数に分岐した分岐管７と、前記分岐管７に備えられ、分岐管７に流入された熱媒体を冷却室２へ噴射する噴射ノズル８とからなる。
【００４１】
これにより、空気が前記供給管５を介して供給され、第１バルブ６の開放により、分岐管７を経由して噴射ノズル８から冷却室２に噴射して供給される。
すなわち、冷却室２の内部に微細に噴射され、冷却室２の空間部上で全面積にかけて均一に供給されることにより、送風機４から供給された冷気との接触面積を増大させて容易に凝固させ、氷状態に状態変化をさせて貯蔵する。
したがって、冷気と熱媒体の熱交換効率が増大して、迅速に熱媒体を冷却貯蔵することができる。
【００４２】
上記において、前記分岐管７は、前記供給管５を中心に複数が放射状に延長形成されたものからなり、熱媒体を冷却室２の全面積にかけて均一に供給することが好ましいが、これに限定されるものではない。
【００４３】
また、本実施形態による冷房システムにおいて、前記冷却室２の空間部上の上部には、冷却室２の内部において高温の空気を集めて外部に排出する空気捕集室９が備えられ、前記空気捕集室９には、空気の圧力に応じて設定された圧力を基準に開閉して外部に排出する排出バルブ１０が備えられる。
【００４４】
すなわち、冷却室２の内部において熱媒体と熱交換して熱の供給を受けて昇温した空気が自然的に上昇し、これを空気捕集室９において供給を受けて排出バルブ１０を介して外部（貯蔵室）に排出する。
【００４５】
したがって、前記冷却室２の内部において熱媒体と熱交換する冷気は、常に外部から流入される低温の空気となされるようにすることにより、熱媒体の冷却効率を増大する。
【００４６】
また、本実施形態による冷房システムにおいて、前記冷却室２には、前記熱媒体が冷却し貯蔵される貯蔵槽１１が備えられ、熱媒体を冷却室２上で別の空間に貯蔵するようになり、前記した貯蔵槽１１の内壁は、弾性を有する断熱材１２からなり、伸縮性を有することが好ましい。
すなわち、熱媒体の凝固および液化による状態変化に応じて変わる体積に能動的に対応して破損および損傷することを防止する。
【００４７】
上記において、貯蔵槽１１の下部には、冷却空気が流通する空気室１３が備えられ、前記空気室１３の下部には、冷却された熱媒体が液化した液相の熱媒体が収容される収容室１４が備えられ、前記空気室１３は、前記貯蔵槽１１および収容室１４と連通して空気および液相の熱媒体が流通する。
このために、前記貯蔵槽１１の底面には複数の通孔が形成されることが好ましい。
【００４８】
したがって、夏期に必要に応じて、空気を冷却室２に投入して、貯蔵槽１１に貯蔵された冷却された熱媒体と熱交換し、冷却された冷風は空気室１３を介して冷風供給手段を経由して使用先３に供給し、液化した熱媒体は自由落下して前記空気室１３を経由して前記収容室１４に収容される。
このように液化した熱媒体が空気室１３を経由して収容室１４に収容される過程において、空気室１３を通過する冷風がより冷却して使用先３に供給される。
【００４９】
上記において、空気室１３には、前記使用先３に空気を供給する送風管１５が備えられ、前記送風管１５には、空気の供給を調節するように開閉する第２バルブ１６が備えられ、前記収容室１４には、外部から空気の流入を受け、収容室１４に収容された液相の熱媒体と熱交換して低温に冷却させ、前記送風管１５と接続して低温に冷却された空気を供給する投入管１７が備えられる。
すなわち、冷却室２から使用先３に冷風を供給する前記冷風供給手段は、前記送風管１５と第２バルブ１６と投入管１７とからなる。
【００５０】
また、前記投入管１７には、空気の供給を開閉する第３バルブ１８が備えられ、空気を強制的に送風するようにする空気ポンプ１９が備えられる。
したがって、前記送風管１５を介して空気室１３に残存する冷風を使用先３に送って冷房をし、使用先３にさらに冷風を供給しなければならない必要性により、投入管１７を介し、収容室１４を介して冷却された冷風を空気ポンプ１９を介して強制的に送風して、使用先３に冷風をさらに供給して空気の温度を調節する。
【００５１】
また、本実施形態による冷房システムにおいて、前記冷却室２には、貯蔵室１の空気を冷却室２の空間部に供給し、複数の排出孔を有する流入管２０が備えられ、前記流入管２０には、空気の供給を調節するように開閉する第４バルブ２１が備えられる。
したがって、前記貯蔵槽１１に貯蔵された冷却された熱媒体と熱交換する空気を建物の外気より低い温度特性を有した貯蔵室１の室内空気を使用することにより、熱媒体の冷却エネルギーをより少なく消耗しつつ冷房をする。
【００５２】
また、本実施形態による冷房システムにおいて、前記冷却室２には、使用先３で収集された低温の使われた空気を供給する回収管２２が備えられ、前記回収管２２には、空気の供給を調節するように開閉する第５バルブ２３が備えられる。
【００５３】
すなわち、前記貯蔵槽１１に貯蔵された冷却された熱媒体と熱交換する空気を建物の外気より低い温度特性を有した使われた低温の室内空気を再使用することにより、熱媒体の冷却エネルギーをより少なく消耗しつつ冷房をすることによってエネルギーを節約する。
【００５４】
また、上記のように貯蔵槽１１に貯蔵された冷却された熱媒体が失われる場合、これを補充するために、本実施形態による冷房システムでは、前記冷却室２が製氷機２４の排出口と連結され、製氷機２４によって製造された氷の供給を受けるように構成される。
【００５５】
上記において、製氷機２４は使用先３の建物に備えられた太陽電池を介して電力の供給を受けるか、あるいは使用先３の建物に備えられた風力発電機を介して電力の供給を受けるように備えられることが好ましい。
すなわち、天然エネルギーを用いて冷却室２に冷気を補充することが最も好ましい。
【００５６】
上記のように形成された本実施形態による冷房システムは、図４〜図８に示すように、冬期に外部の冷気を冷却室２に供給し、熱媒体供給手段を介して熱媒体である水の供給を受けて熱媒体を冷却して貯蔵槽１１に貯蔵する。
【００５７】
この時、前記分岐管７を介して貯蔵槽１１の全面積にかけて均一に噴射された熱媒体は層をなし、多段に冷凍して貯蔵されることが好ましい。
すなわち、一定厚さに水を冷却した後、その上に一定厚さに水を積層して冷却する過程を繰り返し、氷を段々に多段に積層するように冷却／貯蔵する。
【００５８】
また、図９〜図１５に示すように、夏期に必要に応じて、前記貯蔵槽１１の上部に貯蔵室１の空気を投入して氷と熱交換して冷風を形成させると、冷風は下方に自由落下して空気室１３に流入され、冷風供給手段を構成する送風管１５を介して使用先３に供給されて冷房する。
【００５９】
また、使用先３を冷房し回収管２２に回収された空気は、冷却室２の内部に再投入して熱交換された後、冷風状態で使用先に再送風する過程を順次行って循環する。
【００６０】
上記において、貯蔵槽１１に供給される空気によって氷が液化して液相に変わった後に自由落下して収容室１４に収容されるが、収容室１４に収容された液相の水は低温で前記投入管１７を経由する空気と熱交換して冷風を発生させるようになり、前記冷風は空気ポンプ１９を介して使用先３に強制的に送風される。
すなわち、多量の冷風が必要な時、前記空気ポンプ１９を駆動して冷風を供給すれば良い。
【００６１】
また、貯蔵槽１１に貯蔵された冷却状態の熱媒体が過度に消耗すれば、前記製氷機２４を介して氷の供給を受けて冷気を補充して安定的に冷房をする。
【００６２】
以上のような例によって本発明を説明したが、本発明は、必ずしもこのような例に限定されるものではなく、本発明の技術思想を逸脱しない範囲内で様々に変形して実施することができる。したがって、本発明に開示された例は本発明の技術思想を限定するためのものでなく説明するためのものであって、このような例によって本発明の技術思想の範囲が限定されるものではない。本発明の保護範囲は下記の請求範囲によって解釈するべきであり、それと同等な範囲内にある全ての技術思想は本発明の権利範囲に含まれると解釈するべきである。
【符号の説明】
【００６３】
１  ・・・貯蔵室
２  ・・・冷却室
３  ・・・使用先
４  ・・・送風機
５  ・・・供給管
６  ・・・第１バルブ
７  ・・・分岐管
８  ・・・噴射ノズル
９  ・・・空気捕集室
１０  ・・・排出バルブ
１１  ・・・貯蔵槽
１２  ・・・断熱材
１３  ・・・空気室
１４  ・・・収容室
１５  ・・・送風管
１６  ・・・第２バルブ
１７  ・・・投入管
１８  ・・・第３バルブ
１９  ・・・空気ポンプ
２０  ・・・流入管
２１  ・・・第４バルブ
２２  ・・・回収管
２３  ・・・第５バルブ
２４  ・・・製氷機
【図１】
0005807799.tif 000002
【図２】
0005807799.tif 000003
【図３】
0005807799.tif 000004
【図４】
0005807799.tif 000005
【図５】
0005807799.tif 000006
【図６】
0005807799.tif 000007
【図７】
0005807799.tif 000008
【図８】
0005807799.tif 000009
【図９】
0005807799.tif 000010
【図１０】
0005807799.tif 000011
【図１１】
0005807799.tif 000012
【図１２】
0005807799.tif 000013
【図１３】
0005807799.tif 000014
【図１４】
0005807799.tif 000015
【図１５】
0005807799.tif 000016
【図１６】
0005807799.tif 000017
【図１７】
0005807799.tif 000018